(57)【要約】【課題】  上下二段に積層した通常の二段ベッド態様は勿論、分離して一段ベッド態様とした場合に、この二つのベッドを組み合わせて複合化し、省スペース化を図ることが可能な複合ベッド態様を実現することが可能な二段ベッドを提供する。【解決手段】  各ベッド１，２は頭側と脚側とに一対の脚枠体４，７と、両脚枠体を連結する前後一対の側枠体５，８と、両脚枠体と側枠体で囲まれた空間に保持する床部材６，９とを少なくとも備え、両脚枠体はそれぞれ両側に支持脚１０，１４を備え、両脚枠体の対応する支持脚間をそれぞれ側枠体で連結し、第１ベッドの支持脚１０の全高より、第２ベッドの支持脚１４の下端から第２ベッドの床部材９の下面までの高さを高く設定し、第１ベッドの脚側の一部を第２ベッドの床部材の下方に位置させて交差可能とした。【選択図】        図４
2009297381.tif 000002
【特許請求の範囲】
【請求項１】
第１ベッドの上部に第２ベッドを積層可能な二段ベッドであって、各ベッドは頭側と脚側とに一対の脚枠体と、両脚枠体を連結する前後一対の側枠体と、両脚枠体と側枠体で囲まれた空間に保持する床部材とを少なくとも備え、両脚枠体はそれぞれ両側に支持脚を備え、両脚枠体の対応する支持脚間をそれぞれ側枠体で連結するとともに、第１ベッドの４本の支持脚の上端に第２ベッドの４本の支持脚の下端を載置して連結可能とし、第１ベッドの支持脚の全高より、第２ベッドの支持脚の下端から第２ベッドの床部材の下面までの高さを高く設定し、第１ベッドの脚側の一部を第２ベッドの床部材の下方に位置させて交差可能としたことを特徴とする二段ベッド。
【請求項２】
前記第１ベッドの支持脚の全高より、前記第２ベッドの支持脚の下端から第２ベッドの側枠体の下端までの高さを高く設定した請求項２記載の二段ベッド。
【請求項３】
上端部に前記第２ベッドの側枠体に係止可能なフックを有する梯子を備え、該梯子は上部梯子と下部梯子に分割可能であり、上部梯子と下部梯子の分割線を前記第２ベッドの脚枠体の下端を含む水平面と一致させ、第２ベッドを床面に設置した状態で上部梯子を第２ベッドの側枠体に係止して使用可能とした請求項１又は２記載の二段ベッド。
【請求項４】
上端部に前記第２ベッドの側枠体に係止可能なフックを有する梯子を備え、該梯子は上部梯子と下部梯子の分割部で蝶着して１８０度屈曲可能であり、上部梯子と下部梯子の分割線を前記第２ベッドの脚枠体の下端を含む水平面と一致させ、第２ベッドを床面に設置した状態で裏側に沿って下部梯子を折畳んだ上部梯子を第２ベッドの側枠体に係止して使用可能とした請求項１又は２記載の二段ベッド。
【請求項５】
前記第２ベッドの側枠体は、連結基材の上部に側柵部を設け、前記第１ベッドの側枠体は、連結基材の上部の両端部のみに補強部を設けたものである請求項１〜４何れかに記載の二段ベッド。
【発明の詳細な説明】
【技術分野】
【０００１】
本発明は、二段ベッドに係わり、更に詳しくは上下二段に積層した二段ベッド態様と分離して組み合わせた複合ベッド態様とを実現可能な二段ベッドに関するものである。
【背景技術】
【０００２】
特許文献１には、二段ベッド態様では上段ベッドが十分な高さを有し、上段ベッドの側柵を十分に高く設定して安全基準をクリアーし、下段ベッドの側柵を十分低く設定して乗り降りを容易にし、一段ベッド態様では二台のベッドの外観が全く同一になる組替え式二段ベッドが提供されている。
【０００３】
具体的には、二段ベッド態様と、外観が同一の２台の一段ベッドからなる一段ベッド態様とに互いに組替え可能な組替え式二段ベッドであって、両側に高さの高い支持脚を有し、該支持脚の内側面の下端から所定高さ位置に脚側連結手段を設けるとともに、該支持脚の上端に連結部を設けた一対の第１脚枠体と、両側に高さの低い支持脚を有し、該支持脚の内側面に前記第１脚枠体の支持脚と同一高さで同一構造の脚側連結手段を設けるとともに、該支持脚の下端に前記第１脚枠体の支持脚下端の連結部とで互いに上下に連結する連結部を設けた一対の第２脚枠体と、上下幅の狭い長尺部材であり、両端に前記第１脚枠体及び第２脚枠体の脚側連結手段を用いて着脱可能に連結する第１連結手段を有するとともに、内側面に沿って受部を突設した一対の第１側枠体と、上下幅が前記第１側枠体よりも広い長尺部材であり、両端に前記第１脚枠体及び第２脚枠体の脚側連結手段を用いて着脱可能に連結する第２連結手段を有するとともに、内側面の下部に沿って下端からの位置が前記第１側枠体の受部と同一の受部を突設し、上部を側柵部となした一対の第２側枠体と、前記第１側枠体及び第２側枠体の受部に載支可能な２組の床部材と、よりなることを特徴とする組替え式二段ベッドが開示されている。
【０００４】
特許文献１に記載の二段ベッドは、分離して独立態様のベッドとして使用する場合には、外観が全く同一の二台のベッドにすることができ、それらを並べたり、離したり適宜な配置で使用することができるが、室内空間が狭くなることは否めない。通常、二段ベッドを使用する場合、体格に差のある兄弟又は姉妹で使用することが多いが、体格の小さな子供にとっては独立態様のベッドは大き過ぎ、室内空間の無駄になる。
【０００５】
尚、特許文献２には、勾配面を有する構造物に設置して使用するための梯子ではあるが、梯子全体が上部エレメント、中間部エレメント、下部エレメントの複数の分割体を着脱可能に連結することにより構成されている点が開示されている。また、中央部で逆Ｖ字状に屈曲して使用可能な一般的な脚立では、真っ直ぐに伸展させて梯子として使用できるものも多い。
【特許文献１】特開２００６−１２２３９７号公報
【特許文献２】特許第３９１２７１３号公報
【発明の開示】
【発明が解決しようとする課題】
【０００６】
そこで、本発明が前述の状況に鑑み、解決しようとするところは、上下二段に積層した通常の二段ベッド態様は勿論、分離して一段ベッド態様とした場合に、この二つのベッドを組み合わせて複合化し、省スペース化を図ることが可能な複合ベッド態様を実現することが可能な二段ベッドを提供する点にある。
【課題を解決するための手段】
【０００７】
本発明は、前述の課題解決のために、第１ベッドの上部に第２ベッドを積層可能な二段ベッドであって、各ベッドは頭側と脚側とに一対の脚枠体と、両脚枠体を連結する前後一対の側枠体と、両脚枠体と側枠体で囲まれた空間に保持する床部材とを少なくとも備え、両脚枠体はそれぞれ両側に支持脚を備え、両脚枠体の対応する支持脚間をそれぞれ側枠体で連結するとともに、第１ベッドの４本の支持脚の上端に第２ベッドの４本の支持脚の下端を載置して連結可能とし、第１ベッドの支持脚の全高より、第２ベッドの支持脚の下端から第２ベッドの床部材の下面までの高さを高く設定し、第１ベッドの脚側の一部を第２ベッドの床部材の下方に位置させて交差可能としたことを特徴とする二段ベッドを構成した（請求項１）。
【０００８】
あるいは、前記第１ベッドの支持脚の全高より、前記第２ベッドの支持脚の下端から第２ベッドの側枠体の下端までの高さを高く設定した（請求項２）。
【０００９】
また、上端部に前記第２ベッドの側枠体に係止可能なフックを有する梯子を備え、該梯子は上部梯子と下部梯子に分割可能であり、上部梯子と下部梯子の分割線を前記第２ベッドの脚枠体の下端を含む水平面と一致させ、第２ベッドを床面に設置した状態で上部梯子を第２ベッドの側枠体に係止して使用可能とした（請求項３）。
【００１０】
あるいは、上端部に前記第２ベッドの側枠体に係止可能なフックを有する梯子を備え、該梯子は上部梯子と下部梯子の分割部で蝶着して１８０度屈曲可能であり、上部梯子と下部梯子の分割線を前記第２ベッドの脚枠体の下端を含む水平面と一致させ、第２ベッドを床面に設置した状態で裏側に沿って下部梯子を折畳んだ上部梯子を第２ベッドの側枠体に係止して使用可能とした（請求項４）。
【００１１】
更に、前記第２ベッドの側枠体は、連結基材の上部に側柵部を設け、前記第１ベッドの側枠体は、連結基材の上部の両端部のみに補強部を設けたものである（請求項５）。
【発明の効果】
【００１２】
以上にしてなる請求項１に係る発明の二段ベッドは、第１ベッドの上部に第２ベッドを積層して通常の二段ベッドとして使用でき、また第１ベッドと第２ベッドを分離して共に床面に設置して独立した一段ベッドとして使用でき、更に第１ベッドの支持脚の全高より、第２ベッドの支持脚の下端から第２ベッドの床部材の下面までの高さを高く設定したので、第１ベッドの脚側の一部を第２ベッドの床部材の下方に位置させ、第１ベッドと第２ベッドが交差した複合ベッド態様とし、省スペース化を図ることができる。このような複合ベッド態様では、上位に位置する第２ベッドを体格が大きな子供が使用し、下位に位置する第１ベッドを体格が小さな子供が使用するのに適し、第１ベッドの脚側の一部が第２ベッドの床部材の下方に位置して第１ベッドの実効的長さが短くなっても、体格が小さな子供であれば、窮屈なく使用することが可能である。尚、第１ベッドが第２ベッドの床部材の下方に侵入する長さは、第１ベッドを使用する子供の体格に応じて適宜設定することができる。
【００１３】
請求項２によれば、前記第１ベッドの支持脚の全高より、前記第２ベッドの支持脚の下端から第２ベッドの側枠体の下端までの高さを高く設定したので、第１ベッドの脚側の一部を第２ベッドの下方へそのまま押し込めば、第１ベッドの脚枠体が第２ベッドの側枠体の下方を通過し、第１ベッドと第２ベッドが交差した複合ベッド態様を容易に実現することができる。
【００１４】
請求項３又は４によれば、第１ベッドから第２ベッドを分離して、床面に直接設置した一段ベッド態様において、上部梯子と下部梯子を分離し、又は上部梯子に対して下部梯子を折り畳み、上部梯子の上端部に設けたにフックを第２ベッドの側枠体に係止するとともに、下端を床面に当接して使用することができ、第２ベッドの脚枠体の支持脚が長く、床部材の高さが高い場合でも容易に乗り降りすることができる。
【００１５】
請求項５によれば、床部材の高さが高い第２ベッドの側枠体には、連結基材の上部に側柵部を設けたので、二段ベッド態様は勿論、一段ベッド態様でも安全であり、一方、床部材の高さが低い第１ベッドの側枠体は、そもそも安全性の問題はないので、連結基材の上部の両端部のみに補強部を設けたので、脚枠体への連結強度を高めることができるとともに、乗り降りが容易になり、またベッドに腰掛けることもできる。
【発明を実施するための最良の形態】
【００１６】
次に、添付図面に示した実施形態に基づき、本発明を更に詳細に説明する。図１〜図６は、本発明の二段ベッドを示し、図１〜図３は通常の二段ベッド態様、図４〜図６は複合ベッド態様を示し、図中符号１は第１ベッド、２は第２ベッド、３は梯子、４は第１ベッドの脚枠体、５は第１ベッドの側枠体、６は第１ベッドの床部材、７は第２ベッドの脚枠体、８は第２ベッドの側枠体、９は第２ベッドの床部材をそれぞれ示している。
【００１７】
本発明の二段ベッドは、第１ベッド１の上部に第２ベッド２を積層可能であり、上段の第２ベッド２には梯子３を掛けて乗り降りするようになっている。第１ベッド１と第２ベッド２の基本構造は共通している。第１ベッド１は、頭側と脚側とに一対の脚枠体４，４と、両脚枠体４，４を連結する前後一対の側枠体５，５と、両脚枠体４，４と側枠体５，５で囲まれた空間に保持する床部材６，６とを少なくとも備え、同様に第２ベッド２は、頭側と脚側とに一対の脚枠体７，７と、両脚枠体７，７を連結する前後一対の側枠体８，８と、両脚枠体７，７と側枠体８，８で囲まれた空間に保持する床部材９，９とを少なくとも備えている。
【００１８】
具体的には、前記第１ベッド１の脚枠体４は、両側に垂直な支持脚１０，１０を有し、その間を横枠部材１１で連結して一体化したものである。そして、両側の脚枠体４，４の対応する支持脚１０，１０間に適宜な連結手段にて前記側枠体５を着脱可能に連結し、そして両側枠体５，５の内面に沿って突設した受部材１２，１２と、脚枠体４の横枠部材１１の内面中央部に突設した受部１３とに、二分割したスノコ状の床部材６，６の周囲を載支して構成する。前記床部材６，６の上面で側枠体５，５と横枠部材１１，１１で周囲を取り囲まれた部分にマットレス等のクッション体を敷いたり、直接敷き布団を敷くのである。
【００１９】
同様に、前記第１ベッド２の脚枠体７は、両側に垂直な支持脚１４，１４を有し、その間を横枠部材１５で連結して一体化したものである。そして、両側の脚枠体７，７の対応する支持脚１４，１４間に適宜な連結手段にて前記側枠体８を着脱可能に連結し、そして両側枠体８，８の内面に沿って突設した受部材１６，１６と、脚枠体７の横枠部材１５の内面中央部に突設した受部１７とに、二分割したスノコ状の床部材９，９の周囲を載支して構成する。前記床部材９，９の上面で側枠体８，８と横枠部材１５，１５で周囲を取り囲まれた部分にマットレス等のクッション体を敷いたり、直接敷き布団を敷くのである。
【００２０】
そして、二段ベッド態様にするには、第１ベッド１の両脚枠体４，４の上に第２ベッド２の両脚枠体７，７を載置して連結する。具体的には、第１ベッド１の４本の支持脚１０，…の上端に第２ベッド２の４本の支持脚１４，…の下端を載置して連結する。
【００２１】
そして、本発明は、図２に示すように、第１ベッド１の支持脚１０の全高Ｈ１より、第２ベッド２の支持脚１４の下端から第２ベッドの床部材９の下面までの高さＨ２を高く設定し、第１ベッド１の脚側の一部を第２ベッド２の床部材９の下方に位置させて交差可能としている。この場合、通常は側枠体８の下端よりも床部材９の下面は高い位置にあるので、第１ベッド１の支持脚１０の高さＨ１が第２ベッド２の支持脚１４の下端から第２ベッドの側枠体８の下端までの高さＨ３よりも高い場合には、第２ベッド２を若干持ち上げた状態で、その床部材９の下方へ第１ベッド１の一部を押し込むことになる。第１ベッド１の一方の脚枠体４が第２ベッド２の側枠体８の下方を通過すれば、第２ベッド２を床面に下ろしても構わない。
【００２２】
しかし、作業性の観点からは、前記第１ベッド１の支持脚１０の全高Ｈ１より、前記第２ベッド２の支持脚１４の下端から第２ベッド２の側枠体８の下端までの高さＨ３を高く設定することが好ましい。この場合は、第１ベッド１の一方の脚枠体４を第２ベッド２の側枠体８の下方を通過せて押し込むことが可能である。本実施形態では、この条件で高さを設定している。
【００２３】
前記梯子３は、上端部に二段ベッド態様での前記第２ベッド２の側枠体８に係止可能なフック１８を有し、上部梯子１９と下部梯子２０に分割可能であり、上部梯子１９と下部梯子２０の分割線を前記第２ベッド２の脚枠体７の下端を含む水平面と一致させている。前記上部梯子１９と下部梯子２０は、両側の支持板２１，２１の間に一定間隔で踏み板２２，…を横設した通常構造のものであり、上部梯子１９と下部梯子２０のそれぞれの支持板２１，２１を直線状に突き合わせ、内面に継板２３，２３を沿わせてネジ止めしている。
【００２４】
本発明では、第１ベッド１と第２ベッド２を分離して床面に設置し、それぞれ独立して使用可能な一段ベッド態様としたときに、第１ベッド１の脚側の一部を第２ベッド２の床部材９の下方に位置させ、即ち図４〜図６に示すように、第１ベッド１と第２ベッド２が直交する向きで、一部が上下に重なった複合ベッド態様を実現できることを特徴としている。この場合、床面に設置した状態の第２ベッドの側枠体８に、分離した上部梯子１９のフック１８を係止するとともに、傾斜状態の上部梯子１９の下端を床面に当接して使用可能とした。
【００２５】
図示した実施形態では、第１ベッド１の略半分を第２ベッド２の床部材９の下方で左側の脚枠体７に寄せて配置し、その右側の空いた空間に上部梯子１９を設置している。尚、第２ベッド２に対する第１ベッド１の重ね部分の長さは、第１ベッド１を使用する子供の体格に応じて適宜調節すれば良い。
【００２６】
また、前記第２ベッド２の側枠体８は、連結基材２４の上部に側柵部２５を設け、上下の幅を広くして、二段ベッド態様若しくは一段ベッド態様、複合ベッド態様でも安全性を高めている。一方、前記第１ベッド１の側枠体５は、連結基材２４の上部の両端部のみに補強部２６，２６を設けた形状であり、前記支持脚１０に当接する上下寸法を大きくして、第２ベッド２の側枠体８と同様な連結安定性を確保している。第１ベッドの側枠体５は、補強部２６が存在しない中間部では、連結基材２４のみで構成されているので、高さが低く、小さな子供でも第１ベッドへの乗り降りが容易であるばかりでなく、第１ベッドをソファーとしても使用することができる。
【００２７】
尚、図示しないが、上下の支持脚１０，１４の連結には、両接合面にピンを嵌合するとともに、側面に連結金具を沿わせてネジ止めする構造を採用している。また、前記支持脚１０，１４に対する側枠体５，８の連結には、前記支持脚１０，１４に上下方向のスリット溝を形成するとともに、該スリット溝内に係止ピンを横設し、側枠体５，８の連結基材２４の端部に前記スリット溝内に挿入し且つ前記係止ピンに落とし込み係止するフック部材を突設し、更に支持脚１０，１４の外側から貫通させたボルトを前記補強部２６又は側柵部２５に螺合する構造を採用した。
【００２８】
図７〜図１０は、前記梯子３の他の実施形態を示し、上部梯子１９と下部梯子２０の分割部の背面を蝶番２７で１８０度屈曲可能に連結し、上部梯子１９と下部梯子２０の分割線を前記第２ベッド２の脚枠体７の下端を含む水平面と一致させ、下部梯子２０を上部梯子１９の裏側に沿って折畳み可能とした。そして、図示しない適宜な保持手段で上部梯子１９と下部梯子２０の支持板２１，２１が直線状態又は平行な折畳み状態に維持できるように構成したものである。図７及び図８の二段ベッド態様では、上部梯子１９と下部梯子２０を直線状態にして、上端部のフック１８を第２ベッド２の側枠体８の連結基材２４に係止するとともに、傾斜状態の梯子３の下端を床面に当接させ、図９及び図１０の複合ベッド態様では、上部梯子１９の背後に下部梯子２０を折畳んだ状態で当該上部梯子１９の上端部のフック１８を第２ベッド２の側枠体８の連結基材２４に係止するとともに、傾斜状態の上部梯子１９と下部梯子２０の下端を床面に当接させて使用できるようにした。
【００２９】
ここで、傾斜状態の下部梯子２０の上下高さは、前記第１ベッド１の支持脚１０の高さＨ１に一致するので、前記第１ベッド１の支持脚１０の全高Ｈ１より、前記第２ベッド２の支持脚１４の下端から第２ベッド２の側枠体８の下端までの高さＨ３を高く設定することにより、図９及び図１０に示すように、下部梯子２０は第２ベッド２の側枠体８の下方に侵入して格納される。
【図面の簡単な説明】
【００３０】
【図１】本発明の二段ベッドにおける二段ベッド態様の場合の全体斜視図である。
【図２】同じく正面図である。
【図３】同じく左側面図である。
【図４】本発明の二段ベッドにおける複合ベッド態様の場合の全体斜視図である。
【図５】同じく正面図である。
【図６】同じく右側面図である。
【図７】第２実施形態の梯子を用いた二段ベッド態様の場合の全体斜視図である。
【図８】同じく左側面図である。
【図９】第２実施形態の梯子を用いた複合ベッド態様の場合の全体斜視図である。
【図１０】同じく右側面図である。
【符号の説明】
【００３１】
１  第１ベッド、        ２  第２ベッド、
３  梯子、              ４  脚枠体、
５  側枠体、            ６  床部材、
７  脚枠体、            ８  側枠体、
９  床部材、            １１  横枠部材、
１２  受部材、          １３  受部、
１４  支持脚、          １５  横枠部材、
１６  受部材、          １７  受部、
１８  フック、          １９  上部梯子、
２０  下部梯子、        ２１  支持板、
２２  踏み板、          ２３  継板、
２４  連結基材、        ２５  側柵部、
２６  補強部、          ２７  蝶番。
【図１】
2009297381.tif 000003
【図２】
2009297381.tif 000004
【図３】
2009297381.tif 000005
【図４】
2009297381.tif 000006
【図５】
2009297381.tif 000007
【図６】
2009297381.tif 000008
【図７】
2009297381.tif 000009
【図８】
2009297381.tif 000010
【図９】
2009297381.tif 000011
【図１０】
2009297381.tif 000012